(57)【特許請求の範囲】
【請求項１】
複数の電力モニタからデータを収集し、それらをグループ化して監視するエネルギー監視システムにおいて、
電力モニタが接続され、この接続されている電力モニタのデータを収集して送信すると共に、接続されている電力モニタのタグ名および属性が格納されるタグ定義テーブルを具備したデータ収集機器と、
前記データ収集機器とネットワークで接続され、
電力モニタのデータ収集に先だって、前記データ収集機器が具備している、当該データ収集機器に接続されている電力モニタのタグ名および属性が格納されたタグ定義テーブル内のタグ定義を読み込むタグ定義収集部と、
電力モニタのデータ収集に先だって、該タグ定義収集部が読み込んだタグ定義内の属性に基づいて、電力モニタをグループ分けするグループ作成部と、
該グループ作成部が作成したグループ毎に、電力モニタのデータを集計するグループ演算部と、
が配置されたエネルギー監視端末と、
を具備したことを特徴とするエネルギー監視システム。
【請求項２】
前記属性には、少なくとも用途および設置場所が含まれることを特徴とする請求項１記載のエネルギー監視システム。
【発明の詳細な説明】
【技術分野】
【０００１】
本発明は、複数の電力モニタが接続されているデータ収集機器からデータを収集し、それらをグループ化して監視するエネルギー監視システムに関するものである。
【背景技術】
【０００２】
図６に従来のエネルギー監視システムの構成を示す。図６において、エネルギー監視端末１０とデータ収集機器Ｂ１〜Ｂ３はイーサネット（登録商標）等のネットワーク２０で接続されている。
【０００３】
データ収集機器Ｂ１にはＲＳ４８５等の通信路３１を介して電力モニタＣ１〜Ｃ３が接続されている。同様に、データ収集機器Ｂ２には通信路３２を介して電力モニタＣ４〜Ｃ６が、データ収集機器Ｂ３には通信路３３を介して電力モニタＣ７〜Ｃ９が接続されている。
【０００４】
データ収集機器Ｂ１は電力モニタＣ１〜Ｃ３のデータを収集し、ネットワーク２０を介してエネルギー監視端末１０に収集したデータを送信する。同様に、データ収集機器Ｂ２は電力モニタＣ４〜Ｃ６のデータを収集し、データ収集機器Ｂ３は電力モニタＣ７〜Ｃ９のデータを収集して、エネルギー監視端末１０に収集したデータを送信する。エネルギー監視端末１０は、送られてきたデータの現在値の表示、ヒストリカルデータの保存などを行う。なお、通常１台のデータ収集機器に１００台程度の電力モニタが接続され、１台のエネルギー監視端末に１０台程度のデータ収集機器が接続される。
【０００５】
電力監視では、用途別やフロア別にグループを設定し、このグループ毎に監視することが多く行われている。そのため、「“データ収集機器名”．“電力モニタ名”」という形式の電力モニタを識別するタグを設定し、このタグを使用してグループを定義している。例えば、データ収集機器Ｂ１には電力モニタＣ１〜Ｃ３が接続されているので、これらの電力モニタのタグ名は、Ｂ１．Ｃ１、Ｂ１．Ｃ２、Ｂ１．Ｃ３になる。
【０００６】
図７に、グループを定義するグループ定義表の一例を示す。グループは、用途別に電灯グループ、動力グループの２グループ、設置されているフロア別に１Ｆグループ、２Ｆグループの２グループの合計４グループが定義される。電灯グループにはＢ１．Ｃ１、Ｂ１．Ｃ３、Ｂ２．Ｃ４、Ｂ３．Ｃ８、Ｂ３．Ｃ９のタグ名を有する電力モニタが、動力グループにはＢ１．Ｃ２、Ｂ２．Ｃ５、Ｂ２．Ｃ６、Ｂ３．Ｃ７のタグ名を有する電力モニタが属する。同様にして、１Ｆグループ、２Ｆグループも図７のように定義される。
【０００７】
このグループ定義表はエネルギー監視端末１０に置かれる。エネルギー監視端末１０は、このグループ定義表に基づいて各グループの総消費電力を演算して画面に表示し、また保存する。
【０００８】
特許文献１には、所定の領域における使用電力量を表形式、グラフ形式で表示する環境監視システムが記載されている。
【特許文献１】特許第３５９６５０８号公報
【発明の開示】
【発明が解決しようとする課題】
【０００９】
しかしながら、このようなエネルギー監視システムには、次のような課題があった。前述したように、１つのシステムには１０００台程度の電力モニタが接続されているので、グループの定義が複雑になるという課題があった。また、またグループ定義表はエネルギー監視端末１０に置かれているので、電力モニタの変更や追加が行われる度にグループ定義表を修正しなければならず、煩雑な作業が必要になるという課題もあった。
【００１０】
従って本発明の目的は、グループ化に必要な情報を自動的に収集して、この情報に基づいてグループを作成することにより、電力モニタの追加、変更が容易にできるエネルギー監視システムを提供することにある。
【課題を解決するための手段】
【００１１】
このような課題を達成するために、本発明のうち請求項１記載の発明は、
複数の電力モニタからデータを収集し、それらをグループ化して監視するエネルギー監視システムにおいて、
電力モニタが接続され、この接続されている電力モニタのデータを収集して送信すると共に、接続されている電力モニタのタグ名および属性が格納されるタグ定義テーブルを具備したデータ収集機器と、
前記データ収集機器とネットワークで接続され、
電力モニタのデータ収集に先だって、前記データ収集機器が具備している、当該データ収集機器に接続されている電力モニタのタグ名および属性が格納されたタグ定義テーブル内のタグ定義を読み込むタグ定義収集部と、
電力モニタのデータ収集に先だって、該タグ定義収集部が読み込んだタグ定義内の属性に基づいて、電力モニタをグループ分けするグループ作成部と、
該グループ作成部が作成したグループ毎に、電力モニタのデータを集計するグループ演算部と、
が配置されたエネルギー監視端末と、
を具備したものである。タグ定義テーブルをデータ収集機器に分散させることにより、電力モニタの追加、変更が容易になる。
【００１３】
請求項２記載の発明は、請求項１に記載の発明において、
前記属性には、少なくとも用途および設置場所が含まれるようにしたものである。重要な属性を含ませることにより、効果的なグループを作成できる。
【発明の効果】
【００１４】
以上説明したことから明らかなように、本発明によれば次のような効果がある。
請求項１、および２の発明によれば、データ収集機器内に電力モニタのタグ定義テーブルを設け、エネルギー監視端末が電力モニタのデータを収集する前に、このタグ定義テーブルを読み出し、グループ分けを行うようにした。
【００１５】
自動的にグループ分けを行うことができるので、グループ定義表を管理、更新する必要がなくなる。そのため、電力モニタの追加、変更が容易になるという効果がある。また、タグ定義テーブルをデータ収集機器に持たせるようにしたので、タグ定義テーブルのメンテナンスが容易になるという効果もある。
【発明を実施するための最良の形態】
【００１６】
以下本発明を図面を用いて詳細に説明する。図１は本発明に係るエネルギー監視システムの一実施例を示す構成図である。なお、図６と同じ要素には同一符号を付し、説明を省略する。図１において、４０はエネルギー監視端末であり、その内部に監視対象定義リスト４１、タグ定義収集部４２、グループ作成部４３、およびグループ演算部４４を具備している。このエネルギー監視端末４０は、ネットワーク２０でデータ収集機器と接続されている。
【００１７】
監視対象定義リスト４１には、接続されているデータ収集機器のタグが格納される。タグ定義収集部４２は、監視対象定義リスト４１を参照してデータ収集機器にアクセスし、電力モニタのタグ定義を収集する。グループ作成部４３は、タグ定義収集部４２が収集したタグ定義に基づいてグループを設定する。グループ演算部４４は、グループ作成部４３が作成したグループを参照して、グループ毎の電力消費量の和等の集計を行う。この集計値は画面に表示されると共に、ヒストリカルデータとして保存される。
【００１８】
Ｂ４はデータ収集機器であり、通信路３１を介して電力モニタＣ１〜Ｃ３が接続される。また、このデータ収集機器Ｂ４には、接続されている電力モニタの情報が格納されたタグ定義テーブルＤ１が格納される。
【００１９】
Ｂ５はデータ収集機器であり、通信路３２を介して電力モニタＣ４〜Ｃ６が接続される。また、このデータ収集機器Ｂ５には、接続されている電力モニタの情報が格納されたタグ定義テーブルＤ２が格納される。
【００２０】
Ｂ６はデータ収集機器であり、通信路３３を介して電力モニタＣ７〜Ｃ９が接続される。また、このデータ収集機器Ｂ６には、接続されている電力モニタの情報が格納されたタグ定義テーブルＤ３が格納される。
【００２１】
図２に、データ収集機器Ｂ４〜Ｂ６に格納されているタグ定義テーブルＤ１〜Ｄ３を示す。図２において、各タグ定義テーブルは電力モニタのタグ名、用途を示す属性１、設置場所を示す属性２が定義される。例えば、データ収集機器Ｂ４に格納されるタグ定義テーブルＤ１には、電力モニタＣ１〜Ｃ３のタグが格納される。タグ名は電力モニタを識別するタグであり、Ｃ１〜Ｃ３が設定される。属性１は用途を表す属性であり、電灯または動力が設定される。設置場所は１階なので、属性２には１Ｆが設定される。同様にして、タグ定義テーブルＤ２、Ｄ３も図２に示すように設定される。なお、属性には用途、設置場所の他に、電源の利用部署、１００Ｖ／２００Ｖのような電源の種類がある。
【００２２】
図３に、エネルギー監視端末４０が行うタグ定義の収集・解析の手順を示す。この手順は電力モニタのデータ収集に先立って行われる。図３において、エネルギー監視端末４０内のタグ定義収集部４２は、データ収集機器Ｂ４にタグ定義の取得要求を出力する。データ収集機器Ｂ４はこの要求に応じて、タグ定義テーブルＤ１に格納されたタグ定義を送信する。次に、データ収集機器Ｂ５にタグ定義の取得要求を出力する。データ収集機器Ｂ５はこの要求に応じて、タグ定義テーブルＤ２に格納されたタグ定義を送信する。そして、データ収集機器Ｂ６にタグ定義の取得要求を出力する。データ収集機器Ｂ６はこの要求に応じて、タグ定義テーブルＤ３に格納されたタグ定義を送信する。タグ定義収集部４２は、監視対象定義リスト４１を参照して、要求を出力するデータ収集機器を決定する。
【００２３】
全てのデータ収集機器からタグ定義を取得すると、グループ作成部４３はタグ定義内のタグ名、属性情報を用いてグループ化を行い、グループ化情報を作成する。図２のタグ定義から作成されるグループは、図７においてＢ１をＢ４に、Ｂ２をＢ５に、Ｂ３をＢ６に読み替えたものと同じになる。また、電源の利用部署や電源の種類など他の属性情報があるときは、これらの属性情報に基づいたグループをも作成する。
【００２４】
グループ作成後、エネルギー監視端末４０はデータ収集機器Ｂ４〜Ｂ６から電力モニタのデータを収集する。グループ演算部４４は、グループ作成部４３が作成したグループ毎に消費電力の和を演算するなどの集計を行う。この集計値は画面に表示されると共に、ヒストリカルデータとして保存される。
【００２５】
図４、図５に電力モニタが追加されたときの様子を示す。なお、図１、図２と同じ要素には同一符号を付し、説明を省略する。図４において、データ収集機器Ｂ６に電力モニタＣ１０（斜線部）が追加されたとする。
【００２６】
図５は、データ収集機器Ｂ４〜Ｂ６が保持するタグ定義である。電力モニタＣ１０が追加されたことにより、タグ定義Ｄ３にＣ１０のタグ（斜線部）が追加される。エネルギー監視端末４０は、図３に示した動作を行ってデータ収集機器Ｂ４〜Ｂ６が保持するタグ定義を収集し、自動的にグループを再編成する。
【００２７】
このように、電力モニタの追加・変更を行ったときは、その電力モニタが接続されているデータ収集機器内のタグ定義テーブルの内容を変更するだけでよい。エネルギー監視端末４０はデータ収集機器に格納されているタグ定義テーブルを読み込み、自動的にグループを再編成する。そのため、従来のような煩雑なグループ定義表の再構成が不要になる。
【図面の簡単な説明】
【００２８】
【図１】本発明の一実施例を示す構成図である。
【図２】データ収集機器が保持するタグ定義テーブルの例である。
【図３】タグ定義の収集・解析手順を表した動作図である。
【図４】電力モニタの追加を行ったときの手順を示す図である。
【図５】電力モニタの追加を行ったときのタグ定義である。
【図６】従来のエネルギー監視システムの構成図である。
【図７】グループ定義表の例である。
【符号の説明】
【００２９】
２０  ネットワーク
３１〜３３  通信路
４０  エネルギー監視端末
４１  監視対象定義リスト
４２  タグ定義収集部
４３  グループ作成部
４４  グループ演算部
Ｂ４〜Ｂ６  データ収集機器
Ｃ１〜Ｃ１０  電力モニタ
Ｄ１〜Ｄ３  タグ定義テーブル
【図１】
0004747756.tif 000002
【図２】
0004747756.tif 000003
【図３】
0004747756.tif 000004
【図４】
0004747756.tif 000005
【図５】
0004747756.tif 000006
【図６】
0004747756.tif 000007
【図７】
0004747756.tif 000008